(57)【要約】【課題】錠ユニット間の位置合わせを容易に且つ精度良く行うことができ、小型化に寄与することができる、引違い戸の錠部材の位置合わせ治具を提供する。【解決手段】第１引き違い戸１に固定された第１錠ユニット５の第１受け座板１３に、位置決め治具１０の治具本体２２を、矩形筒２３を介して位置決めした状態で取り付ける。第２引き違い戸２に遊動可能に仮保持された第２錠ユニット７を施錠操作する。第２錠ユニット７から第１錠ユニット５側へ進出する箱体３６が、治具本体２２の矩形の位置決め孔２５（矩形筒２３の内周に相当）と嵌合し、第２錠ユニット７が正規位置に位置決めされる。第２錠ユニット７を、第２固定ねじ２１によりねじ止め固定する。【選択図】図２４
2012007349.tif 000002
【特許請求の範囲】
【請求項１】
第１引き違い戸の第１縦框に固定された第１錠ユニットに対して、第２引き違い戸の第２縦框の取付孔に遊動可能に仮保持された第２錠ユニットを位置合わせするための引違い戸用錠部材の位置合わせ治具であって、
第１および第２錠ユニット間の対向空間に配置可能な板状の治具本体を備え、
治具本体は、第１錠ユニットに対向する第１面と、第２錠ユニットに対向する第２面と、を含み、
第１面に、第１錠ユニットの第１受け座板に位置決め可能に係合する第１係合部と、第１錠ユニットの第１受け座板に取り外し可能に取り付けられる被取付部と、が設けられ、  治具本体は、上記第２錠ユニットの施錠操作に伴って上記第１錠ユニット側へ進出する矩形の箱体と嵌合することにより、上記第２錠ユニットを正規位置に位置決めする第２係合部としての矩形の位置決め孔を有している、引違い戸用錠部材の位置合わせ治具。
【請求項２】
請求項１において、上記第１係合部は、第２係合部としての矩形の位置決め孔の周縁に設けられ、第１面から突出する矩形筒を含む、引き違い戸用錠部材の位置合わせ治具。
【請求項３】
請求項１または２において、上記被取付部は、治具本体の第１面に貼り付けられた両面テープである、引違い戸用錠部材の位置合わせ治具。
【請求項４】
請求項１から３の何れか１項において、上記治具本体の第２面は、第２引き違い戸を閉じる動作に伴って第２錠ユニットの第２受け座板と係合することにより、第２錠ユニットを仮位置に位置決めする第３係合部を有している、引き違い戸用錠部材の位置合わせ治具。
【請求項５】
請求項４において、上記治具本体の第２面の第３係合部は、第１錠ユニットの第２受け座板に設けられた少なくとも一つの凸部に係合する係合溝を含む、引違い戸用錠部材の位置合わせ治具。
【請求項６】
請求項５において、上記第３係合部としての係合溝は、治具本体の第２面から突出し上記凸部を上下方向に仮位置決め可能な上壁および下壁と、治具本体の第２面から突出し上記凸部を左右方向に仮位置決め可能な側壁と、により区画され、第２引き違い戸の開き方向に向けて開放している、引き違い戸用錠部材の位置合わせ治具。
【請求項７】
第１引き違い戸に固定された第１錠ユニットの第１受け座板に、位置合わせ治具を位置決めした状態で取り付ける工程と、
引き違い戸の閉じ状態で、第２引き違い戸に遊動可能に仮保持された第２錠ユニットを施錠操作することにより、これに伴って第２錠ユニットから第１錠ユニット側へ進出する矩形の箱体を、位置合わせ治具の矩形の位置決め孔に嵌合することによって、第２錠ユニットを正規位置に位置決めする工程と、
正規位置に位置決めされた状態の第２錠ユニットを、施錠状態のままで第２引き違い戸にねじ止め固定する工程と、
位置合わせ治具を第１錠ユニットの第１受け座板から取り外す工程と、を含む、引き違い戸用錠部材の位置合わせ方法。
【発明の詳細な説明】
【技術分野】
【０００１】
本発明は、第１および第２引き違い戸の両錠ユニットを位置合わせするための引違い戸用錠部材の位置合わせ治具および位置合わせ方法に関する。
【背景技術】
【０００２】
引違い戸用錠部材の芯出し構造が提案されている（例えば特許文献１を参照）。具体的には、内部錠ユニットの錠箱内の支持板に螺合した芯出し用ボルトの頭部が、錠箱の垂直壁部に形成されたドライバー用差し込み孔に臨み、芯出し用ボルトの先端部が、外部錠ユニットのストライク板の芯出し用基準小孔に臨むように、芯出し用ボルトを配置している。
【０００３】
ドライバー用差し込み孔からドライバを差し込んで、芯出し用ボルトを回転操作することにより、芯出し用ボルトの先端部を、外部錠ユニットのストライク板の芯出し用基準小孔に挿入し、これにより、錠部材の芯出しを行うようにしている。
【先行技術文献】
【特許文献】
【０００４】
【特許文献１】特開平１０−１３１５５７号公報
【発明の開示】
【発明が解決しようとする課題】
【０００５】
しかしながら、特許文献１では、錠部材の解錠状態で芯出しを行っている。したがって、内部錠ユニットに設けられたロック部材（鎌）と外部錠ユニットのストライク板のロック孔との位置関係が、必ずしも適正になるわけではない。すなわち開錠状態で位置合わせされた錠部材では、施錠するときに、うまく施錠できないおそれがある。
また、芯出し用のボルトとこれを支持する支持部材等を内部錠ユニットに内蔵しているので、錠部材が大型化し、また製造コストが高くなる。
【０００６】
本発明は上記課題に鑑みてなされたものであり、本発明の目的は、錠ユニット間の位置合わせを容易に且つ精度良く行うことができ、小型化に寄与することができる、引違い戸の錠部材の位置合わせ治具および位置合わせ方法を提供することである。
【課題を解決するための手段】
【０００７】
上記目的を達成するため、本発明は、第１引き違い戸（１）の第１縦框（４）に固定された第１錠ユニット（５）に対して、第２引き違い戸（２）の第２縦框（６）の取付孔（１７）に遊動可能に仮保持された第２錠ユニット（７）を位置合わせするための引違い戸用錠部材の位置合わせ治具（１０）であって、第１および第２錠ユニット間の対向空間（９）に配置可能な板状の治具本体（２２）を備え、治具本体は、第１錠ユニットに対向する第１面（２２ａ）と、第２錠ユニットに対向する第２面（２２ｂ）と、を含み、第１面に、第１錠ユニットの第１受け座板（１３）に位置決め可能に係合する第１係合部（２３）と、第１錠ユニットの第１受け座板に取り外し可能に取り付けられる被取付部（２４）と、が設けられ、治具本体は、上記第２錠ユニットの施錠操作に伴って上記第１錠ユニット側へ進出する矩形の箱体（３６）と嵌合することにより、上記第２錠ユニットを正規位置に位置決めする第２係合部としての矩形の位置決め孔（２５）を有している、引違い戸用錠部材の位置合わせ治具を提供する（請求項１）。
【０００８】
本発明では、まず、第１引き違い戸に固定された第１錠ユニット（例えば外部錠ユニット）の第１受け座板に、治具本体を第１係合部を介して位置決めした状態で取り付ける。次いで、第２引き違い戸に遊動可能に仮保持された第２錠ユニット（例えば内部錠ユニット）を施錠操作すると、これに伴って、第２錠ユニットから第１錠ユニット（例えば外部錠ユニット）側へ進出する箱体が、治具本体の第２係合部としての矩形の位置決め孔によって正規位置に位置決めされる。このように正規位置に位置決めされた状態の第２錠ユニットを、第２引き違い戸にねじ止めにより固定する。これにより、施錠状態で正確に位置決めされた第１および第２錠ユニットを有する引き違い戸用錠部材を得ることができる。その後、治具本体を第１錠ユニットから取り外す。錠部材に、位置合わせのための位置合わせ治具を内蔵しないので、錠部材を小型化することができ、製造コストを安くすることができる。また、位置決め治具を繰り返し使用することができる。さらに、位置合わせ治具を取り外した後は、両錠ユニット間に所定間隔の対向空間を確保することができるので、経時使用での戸車の摩耗等に伴う、両錠ユニット間の位置関係の変化を、上記対向空間によって吸収することができる。
【０００９】
また、上記第１係合部は、第２係合部としての矩形の位置決め孔の周縁に設けられ、第１面から突出する矩形筒（２３）を含む場合がある（請求項２）。この場合、第１および第２の錠ユニットの位置合わせ精度をより高くすることができる。
また、上記被取付部は、治具本体の第１面に貼り付けられた両面テープ（２４）である場合がある（請求項３）。この場合、位置決め治具を容易に着脱することができる。
【００１０】
また、上記治具本体の第２面は、第２引き違い戸を閉じる動作に伴って第２錠ユニットの第２受け座板と係合することにより、第２錠ユニットを仮位置に位置決めする第３係合部（２６）を有している場合がある（請求項４）。この場合、第２引き違い戸を閉じるときに、第２錠ユニットを正規位置にほぼ近い仮位置に位置決めしておくことができる。したがって、第２錠ユニットの施錠操作のときに、第２錠ユニットを容易且つ確実に正規位置に変位させることができる。すなわち、正規位置への位置決め動作を確実に行える。
【００１１】
また、上記治具本体の第２面の第３係合部は、第１錠ユニットの第２受け座板（１９）に設けられた少なくとも一つの凸部（２７；３７，３８）に係合する係合溝（２６）を含む場合がある（請求項５）。この場合、第２引き違い戸を閉じるときに、凸部を係合溝に係合させて、第２錠ユニットを容易に仮位置に位置決めすることができる。
また、上記第３係合部としての係合溝は、治具本体の第２面から突出し上記凸部を上下方向に仮位置決め可能な上壁（２８）および下壁（２９）と、治具本体の第２面から突出し上記凸部を左右方向に仮位置決め可能な側壁（３０）と、により区画され、第２引き違い戸の開き方向（Ｘ２）に向けて開放している場合がある（請求項６）。この場合、第２引き違い戸を閉じるときに、凸部を係合溝の上壁および下壁に係合させて、第２錠ユニットの仮上下位置を位置決めでき、また，凸部を係合溝の側壁に係合させて、第２錠ユニットの仮左右位置を位置決めすることができる。
【００１２】
また、本発明は、第１引き違い戸に固定された第１錠ユニットの第１受け座板に、位置合わせ治具を位置決めした状態で取り付ける工程と、引き違い戸の閉じ状態で、第２引き違い戸に遊動可能に仮保持された第２錠ユニットを施錠操作することにより、これに伴って第２錠ユニットから第１錠ユニット側へ進出する矩形の箱体を、位置合わせ治具の矩形の位置決め孔に嵌合することによって、第２錠ユニットを正規位置に位置決めする工程と、位置合わせ治具を第１錠ユニットの第１受け座板から取り外す工程と、を含む、引き違い戸用錠部材の位置合わせ方法を提供する（請求項７）。
【００１３】
本位置合わせ方法によれば、第２錠ユニットの施錠操作に伴って、第２錠ユニットを第１錠ユニットに対する正規位置に位置決めし、その状態で、第２錠ユニットを第２引き違い戸に固定する。したがって、施錠状態で正確に位置決めされた第１および第２錠ユニットを有する引き違い戸用錠部材を得ることができる。錠部材に、位置合わせのための位置合わせ治具を内蔵しないので、錠部材を小型化することができ、製造コストを安くすることができる。また、位置決め治具を繰り返し使用することができる。
【００１４】
なお、上記において、括弧内の英数字は、後述の実施形態における対応構成要素の参照符号を表すものであるが、これらの参照符号により特許請求の範囲を限定する趣旨ではない。
【図面の簡単な説明】
【００１５】
【図１】本発明の一実施の形態の位置合わせ治具が適用される引き違い戸装置の概略図であり、第２引き違い戸（室内側引き違い戸）が中間位置まで開いた状態を示している。
【図２】引き違い戸装置の概略図であり、閉じ状態を示している。
【図３】第１錠ユニット（外部錠ユニット）の取付構造の分解斜視図である。
【図４】第２錠ユニット（内部錠ユニット）の取付構造の分解斜視図である。
【図５】第１引き違い戸の第１縦框に固定された第１錠ユニットに位置合わせ治具を装着する態様を示す分解斜視図である。
【図６】位置合わせ治具の正面図である。
【図７】図６のVII −VII 線に沿う断面図である。
【図８】図６のVIII−VIII線に沿う断面図である。
【図９】第２錠ユニットの第２受け座板の正面図である。
【図１０】図９のＸ−Ｘ線に沿う断面図である。
【図１１】位置合わせ治具の第３係合部としての係合溝に、第２受け座板の凸部が導入される態様を示す概略図である。
【図１２】位置合わせ工程の第１段階にある引き違い戸装置の概略図であり、第２引き違い戸の第２錠ユニットが室内側に露出する状態に、第２引き違い戸を開いた状態を示している。
【図１３】位置合わせ工程の第２段階にある引き違い戸装置の概略図であり、室内側に露出する第２錠ユニットに位置合わせ治具を装着した状態を示している。
【図１４】位置合わせ工程の第３段階にある引き違い戸装置の概略図であり、第２引き違い戸を完全に開いた状態を示している。
【図１５】位置合わせ工程の第４段階にある引き違い戸装置の概略図であり、第２引き違い戸を閉じた状態を示している。この閉じ動作に伴って、遊動状態の第２錠ユニットが仮位置に位置決めされる工程を示している。
【図１６】位置合わせ工程の第５段階にある引き違い戸装置の概略図であり、第２錠ユニットの操作摘まみを下降させて、施錠する状態を示している。この施錠操作に伴って、仮位置にある第２錠ユニットが施錠状態で正規位置に位置決めされる工程を示している。
【図１７】位置合わせ工程の第６段階にある引き違い戸装置の要部としての第２錠ユニットの概略図であり、第２錠ユニットを固定ねじの増し締めにより本締めする工程を示している。
【図１８】位置合わせ工程の第７段階にある引き違い戸装置の要部としての第２錠ユニットの概略図であり、操作摘まみを上昇させて、開錠する工程を示している。
【図１９】位置合わせ工程の第８段階にある引き違い戸装置の概略図であり、第２引き違い戸の室内側の面が室内側に露出する状態で、第２錠ユニットから位置決め治具を取り外す工程を示している。
【図２０】第２引き違い戸の第２縦框の断面図である。
【図２１】第１引き違い戸の第１框の断面図である。
【図２２】第２引き違い戸の第２縦框の断面図である。図１３の工程に相当し、第２錠ユニットの第２受け座板に、位置合わせ治具が装着された状態を示している。
【図２３】閉じ状態の両引き違い戸の縦框の断面図である。図１５の工程に相当し、第２錠ユニットが、位置合わせ治具によって、仮位置に位置決めされた状態を示している。
【図２４】閉じ状態の両引き違い戸の縦框の断面図である。図１６の工程に相当し、第２錠ユニットの施錠操作に伴って、第２錠ユニットが、位置決め治具によって正規位置に位置決めされた状態を示している。
【図２５】本発明の別の実施の形態の位置合わせ治具の第３係合部としての係合溝に、第２受け座板の凸部としての一対のピンが導入される態様を示す概略図である。
【発明を実施するための形態】
【００１６】
本発明の好ましい態様を添付図面を参照しつつ説明する。
図１を参照して、引き違い戸装置Ａでは、第１引き違い戸１および第２引き違い戸２が、戸枠３内に、左右にスライド可能に収容されている。本実施の形態では、第１引き違い戸１が室外側引き違い戸であり、第２引き違い戸２が室内側引き違い戸である場合に則して説明するが、本発明は、これに限定されるものではなく、第１引き違い戸１が室内側引き違い戸であり、第２引き違い戸２が室外側引き違い戸であってもよい。
【００１７】
第１引き違い戸１の第１縦框４に、第１錠ユニット５（外部錠ユニット）が固定されており、第２引き違い戸２の第２縦框６に、第２錠ユニット７（内部錠ユニット）が固定されている。
第２引き違い戸２を図１に示す開放状態から図２に示す閉じ状態へとスライドさせると、第２錠ユニット７が第１錠ユニット５（図２では、第２錠ユニット７のみを図示）に対向する位置に移動する。この閉じ状態で、第２錠ユニット７の操作摘まみ８を下方へ降ろすと、第２錠ユニット７からロック用の鎌（図２４参照）が進出して、第１錠ユニット５の所定部に係止され、ロックが達成されるようになっている。
【００１８】
本実施の形態は、第１および第２引き違い戸１，２の設置に際して、図２３に示すように、第１および第２引き違い戸１，２間の対向空間９に配置して用い、第１および第２錠ユニット５，７の位置合わせを精度良く行う位置合わせ治具１０を提供する。
図３に示すように、第１錠ユニット５は、第１引き違い戸１の第１縦框４に設けられた第１取付孔１１に取り付けられる。第１錠ユニット５は、第１取付孔１１内に収容される第１ユニット本体１２と、第１縦框４の室内側の面４ａに沿う第１受け座板１３と、第１ユニット本体１２から室外側へ突出するシリンダ錠１４と、第１縦框４の室外側の面４ｂに沿う第１化粧板１５とを有している。
【００１９】
第１縦框４の室内側の面４ａに沿わされる第１受け座板１３と、第１縦框４の室外側の面４ｂに沿わされる第１化粧板１５とを、第１固定ねじ１６で連結することにより、第１受け座板１３および第１化粧板１５の間に第１縦框４を挟持する。これにより、第１錠ユニット５が、第１引き違い取付１の第１縦框４に固定される。
図４に示すように、第２錠ユニット７は、第２引き違い戸２の第２縦框６に設けられた第２取付孔１７内に収容される第２ユニット本体１８と、第２縦框６の室外側の面６ａに沿う第２受け座板１９と、第２縦框６の室外側の面６ｂに沿う第２化粧板２０とを有している。
【００２０】
第２縦框６の室内側の面６ａに沿わされる第２受け座板１９と、第２縦框６の室外側の面６ｂに沿わされる第２化粧板２０とを、第２固定ねじ２１で連結することにより、第２受け座板１９および第２化粧板２０の間に第２縦框６を挟持する。これにより、第２錠ユニット７が、第２引き違い取付２の第２縦框６に固定される。
図５に示すように、第１引き違い戸１の第１縦框４の室内側の面４ａが室内側に露出する状態で、すなわち、第１錠ユニット５の第１受け座板１３が、室内側に露出する状態で、第１錠ユニット５の第１受け座板１３に、位置合わせ治具１０を位置合わせした状態で取り付けるようにする。具体的には、位置合わせ治具１０の矩形筒２３を、第１受け座板１３の矩形の開口５４に嵌合することにより、位置合わせ治具１０を上下左右に位置合わせする。
【００２１】
開口５４は、図２０に示すように、第１錠ユニット５において、室側側からのシリンダ錠１４の施錠操作および解錠操作に、それぞれ応じて、第２錠ユニット７側へ進出する操作レバー５５，５６を挿通させる働きをする。操作レバー５５，５６によって第２錠ユニット７内の上下スライダ（図示せず）を上下させることにより、所定の連動機構（図示せず）を介して、第２錠ユニット７の鎌３４が、揺動されて第１錠ユニット５の係止孔３５に係止されるようになっている。
【００２２】
図５、図６、図６のXII −XII 線に沿う断面図である図７、および図６のXIII-XIII 線に沿う断面図である図８を参照して、位置合わせ治具１０は、第１および第２錠ユニット５，７間の対向空間９（図２３参照）に配置可能な板状の治具本体２２を備えている。
図５〜図８を参照して、治具本体２２は、縦長の矩形状をなしている。治具本体２２は、第１錠ユニット５に対向する第１面２２ａと、第２錠ユニット７に対向する第２面２２ｂとを含んでいる。
【００２３】
第１面２２ａに、第１錠ユニット５の第１受け座板１３に位置決め可能に係合する第１係合部としての矩形筒２３が突出形成されている。また、第１面２２ａには、第１錠ユニット５の第１受け座板１３に取り外し可能に取り付けられる被取付部としての両面テープ２４が貼り付けられている。治具本体２２は、矩形筒２３の下方に、矩形の鎌挿通孔５１を開口している。
【００２４】
また、治具本体２２は、第２係合部としての位置決め孔２５を有している。位置決め孔２５は、第２錠ユニット７の施錠操作に伴って、図２３に示す状態から図２４に示す状態へと第１錠ユニット５側へ進出する矩形の箱体３６と嵌合することにより、第２錠ユニット７を正規位置に位置決めする機能を果たす。
第１係合部としての矩形筒２３は、第２係合部としての位置決め孔２５の周縁から突出形成されている。換言すると、第１係合部としての矩形筒２３によって、第２係合部としての位置決め孔２５が区画されている。
【００２５】
治具本体２２の第２面２２ｂは、第１引き違い戸１に対して第２引き違い戸２を閉じる動作に伴って第２錠ユニット７の第２受け座板２０と係合することにより、第２錠ユニット７を仮位置に位置決めする第３係合部としての係合溝２６を有している。
具体的には、図９および図１０に示すように、第２錠ユニット７の第２受け座板１９は、その外周縁に断面Ｌ字形のフランジを形成しており、そのフランジによって、環状の凸部２７が形成されている。
【００２６】
図１１に示すように、第３係合部としての係合溝２６は、第１引き違い戸１に対して第２引き違い戸２を閉じる動作に伴って、第２錠ユニット７の第２受け座板１９の凸部２７と係合することにより、第２錠ユニット７を仮位置に位置決めする。  
第３係合部としての係合溝２６は、左右に延びる上壁２８および下壁２９と、縦方向に延びる側壁３０とを有しており、第２引き違い戸２の開き方向Ｘ２に向けて開放している。
【００２７】
また、係合溝２６の入口部分おいて、上壁２８および下壁２９には、互いに逆向きに傾斜する傾斜部３１，３２が設けられている。傾斜部３１，３２間の間隔としての、上壁２８および下壁２９間の間隔Ｗ１が、第２引き違い戸２の開き方向Ｘ２に向かうにしたがって広くなるようにされている。これにより、遊動状態にある第２錠ユニット７を確実に係合溝２６内に導くことができるようになっている。
【００２８】
第２錠ユニット７の凸部２７は、第３係合部としての係合溝２６内に導入されることにより、上壁２８と下壁２９との間で、仮上下位置に位置決めされる。また、凸部２７は、側壁３０によって、仮左右位置に位置決めされる。換言すると、凸部２７を有する第１錠ユニット５が、正規位置に近い仮位置に位置決めされることになる。
再び図９を参照して、第２受け座板１９には、矩形をなす箱体挿通孔５２が開口され、また、箱体挿通孔５２の下方に矩形をなす鎌挿通孔５３が開口されている。箱体挿通孔５２は、第２錠ユニット７の操作摘まみ８の下降操作（ロック操作）に応じて、図示しないカム機構を介して、図２３から図２４に示す状態ヘと、後方へ（第１錠ユニット５側へ）進出する箱体３６を挿通させる。また、鎌挿通孔５３は、第２錠ユニット７の操作摘まみ８の下降操作（ロック操作）に応じて、揺動されて、後方へ（第１錠ユニット５側へ）進出する鎌３４を挿通させる。
【００２９】
次いで、位置決め治具１０を用いて、両錠ユニット５，７を位置合わせする工程を図１２〜図１９に基づいて説明する。
まず、図１２に示すように、第１錠ユニット５を室内側に露出させるように、第１引き違い戸１を開く。このとき、第１引き違い戸１の第１錠ユニット５は、図２０に示すように、第１框４の第１取付孔１１に固定された状態にある。また、第２引き違い戸２の第２錠ユニット７は、図２１に示すように、第２框６の第２取付孔１７に、上下方向および左右方向（図２１の紙面とは直交する方向）に遊動可能に仮保持された状態にある。具体的には、第２固定ねじ２１を、第２ユニット本体１８のねじ孔３３に対して完全には締め込まず、途中位置まで仮締めした状態としておく。
【００３０】
次いで、図１３に示すように、第１錠ユニット５に位置合わせ治具１０を装着する。このとき、被取付部としての両面テープ２４を用いて、第１錠ユニット５の第１受け座板１３に貼り付ける。このとき、図２２に示すように、位置合わせ治具１０の治具本体２２の第１面２２ａから突出する矩形筒２３を、第１錠ユニット５の第１受け座板１３の矩形の開口５４に嵌合させることにより、位置合わせ治具１０を第１錠ユニット５に対して正確に位置決めしておく。
【００３１】
次いで、図１４に示すように、第２引き違い戸２を完全に開いて両引き違い戸１，２を前後に重ねた状態とした後、図１５に示すように、第２引き違い戸２を閉じ、図２３に示すように、第１および第２錠ユニット５，７を前後に重ね合わせる。第２引き違い戸２を閉じる動作に伴って、遊動状態にある第２錠ユニット７が、仮上方位置と仮下方位置との間に位置決めされる一方、仮左右位置に位置決めされる。
【００３２】
次いで、図１６に示すように、第１錠ユニット５の操作摘まみ８を下降操作して、施錠状態とする。この操作摘まみ８による施錠操作に伴って、第１錠ユニット５からロック用の鎌３４が、図２４に示すように、揺動されて、第２錠ユニット７の第２受け座板１９の係止孔３５に係止される。また、操作摘まみ８による施錠操作に伴って、第１錠ユニット５から、箱体３６が、位置合わせ治具１０側へ進出し、位置合わせ治具１０の第２係合部としての位置決め孔２５に嵌合される。この箱体３６および位置決め孔２５の嵌合により、仮位置にある第１錠ユニット５が、施錠状態において、正規位置に位置決めされる。
【００３３】
次いで、図１７に示すように、第２固定ねじ２１を増し締めし、施錠状態において正規位置にある第１錠ユニット５を完全に第１縦框４に固定する。これにより両錠ユニット５，７の位置合わせが完了する。
次いで、図１８に示すように、操作摘まみ８を上昇させて、解錠状態とし、図１９に示すように、第１錠ユニット５から位置合わせ治具１０を取り外し、作業を終了する。
【００３４】
以上のように、本実施の形態によれば、まず、第１引き違い戸１に固定された第１錠ユニット５の第１受け座板１３に、位置決め治具１０の治具本体２２を、第１係合部としての矩形筒２３を介して位置決めした状態で取り付ける。次いで、第２引き違い戸２に遊動可能に仮保持された第２錠ユニット７を施錠操作すると、これに伴って、第２錠ユニット７から第１錠ユニット５側へ進出する箱体３６が、治具本体２２の第２係合部としての矩形の位置決め孔２５（矩形筒２３の内周に相当）によって正規位置に位置決めされる。
【００３５】
このように正規位置に位置決めされた状態の第２錠ユニット７を、第２引き違い戸２に、第２固定ねじ２１によりねじ止め固定する。これにより、施錠状態で正確に位置決めされた第１および第２錠ユニット５，７を有する引き違い戸１，２を得ることができる。その後、位置決め治具１０を第１錠ユニット５から取り外す。したがって、各錠ユニット５，７に、位置合わせのための位置合わせ治具を内蔵しないので、錠ユニット５，７を小型化することができ、製造コストを安くすることができる。また、位置決め治具１０を繰り返し使用することが可能となる。さらに、位置合わせ治具を取り外した後は、両錠ユニット５，７間に所定間隔の対向空間９を確保することができるので、経時使用での戸車の摩耗等に伴う、両錠ユニット５，７間の位置関係の変化を、上記対向空間９によって吸収することができる。
【００３６】
また、第１係合部としての矩形筒２３を、第２係合部としての矩形の位置決め孔２５の周縁に設けたので、第１および第２の錠ユニット５，７の位置合わせ精度をより高くすることができる。
また、被取付部として、治具本体２２の第１面２２ａに貼り付けられた両面テープ２４を用いたので、位置決め治具１０を容易に着脱することができる。また、製造コストも安い。
【００３７】
また、治具本体１０の第２面２２ｂに、第３係合部としての係合溝２６を設け、第２引き違い戸２を閉じる動作に伴って、係合溝２６が、第２錠ユニット７の第２受け座板１９の凸部２７と係合することにより、第２錠ユニット７を仮位置に位置決めするようにした。したがって、第２引き違い戸２を閉じるときに、第２錠ユニット７を正規位置にほぼ近い仮位置に位置決めしておくことができる。その結果、第２錠ユニット７の施錠操作のときに、第２錠ユニット７を容易且つ確実に正規位置に変位させることができる。すなわち、正規位置への位置決め動作を確実に行える。
【００３８】
特に、第２引き違い戸２を閉じるときに、第３係合部としての係合溝２６を区画する上壁２８および下壁２９によって、第２錠ユニット７の上下位置を仮位置決めでき、また，側壁３０によって、第２錠ユニット７の左右位置を仮位置決めすることができる点で好ましい。
なお、本発明は上記実施の形態に限定されるものではない。例えば上記実施の形態では、第２受け座板１９のＬ字形断面を有する環状フランジによって凸部２７を構成したが、これに代えて、図２５に示すように、第２受け座板１９Ａに設けた上下一対のピン３７，３８によって凸部を構成してもよい。
【００３９】
また、図示していないが、第２受け座板に設けた凸部としての単一のピンを、位置合わせ治具に設けた一対のリブ間の係合溝（第３係合部）に導いて仮位置合わせするようにしてもよい。その他、本発明の請求項記載の範囲で種々の変更を施すことができる。
【符号の説明】
【００４０】
１…第１引き違い戸、２…第２引き違い戸、３…戸枠、４…第１縦框、５…第１錠ユニット、６…第２縦框、７…第２錠ユニット、８…操作摘まみ、９…対向空間、１０…位置合わせ治具、１１…第１取付孔、１２…第１ユニット本体、１３…第１受け座板、１４…シリンダ錠、１５…第１化粧板、１６…第１固定ねじ、１７…第２取付孔、１８…第２ユニット本体、１９…第２受け座板、２０…第２化粧板、２１…第２固定ねじ、２２…治具本体、２２ａ…第１面、２２ｂ…第２面、２３…矩形筒（第１係合部）、２４…両面テーープ（被取付部）、２５…位置決め孔（第２係合部）、２６…係合溝（第３係合部）、２７…凸部、２８…上壁、２９…下壁、３０…側壁、３１，３２…傾斜部、３３…ねじ孔、３４…鎌、３５…係止孔、３６…箱体、３７，３８…ピン（凸部）、Ｘ１…閉じ方向、Ｘ２…開き方向
【図１】
2012007349.tif 000003
【図２】
2012007349.tif 000004
【図３】
2012007349.tif 000005
【図４】
2012007349.tif 000006
【図５】
2012007349.tif 000007
【図６】
2012007349.tif 000008
【図７】
2012007349.tif 000009
【図８】
2012007349.tif 000010
【図９】
2012007349.tif 000011
【図１０】
2012007349.tif 000012
【図１１】
2012007349.tif 000013
【図１２】
2012007349.tif 000014
【図１３】
2012007349.tif 000015
【図１４】
2012007349.tif 000016
【図１５】
2012007349.tif 000017
【図１６】
2012007349.tif 000018
【図１７】
2012007349.tif 000019
【図１８】
2012007349.tif 000020
【図１９】
2012007349.tif 000021
【図２０】
2012007349.tif 000022
【図２１】
2012007349.tif 000023
【図２２】
2012007349.tif 000024
【図２３】
2012007349.tif 000025
【図２４】
2012007349.tif 000026
【図２５】
2012007349.tif 000027